(57)【要約】【課題】容易に製造でき、且つ体積が小さいアンテナモジュールを提供すること。【解決手段】本発明に係るアンテナモジュールは、回路基板と、接地及び信号をフィードインするための接地部及びフィードイン部を含むアンテナと、を備える。アンテナモジュールは、連接部、第一共振部及び第二共振部をさらに備え、フィードイン部は、接地部の一方の側辺から延伸し且つ接地部と共同で１つの切欠きを形成し、第一共振部及び第二共振部は、同一直線上に位置し、且つ連接部を介して接地部及びフィードイン部にそれぞれ連接され、第一共振部、連接部、接地部は共に、第一間隙を形成し、第二共振部、連接部、フィードイン部は共に、第二間隙を形成し、切欠き及び第一間隙のサイズを調節することによって、第一共振部は第一動作周波数の信号を送受信し、第二間隙のサイズを調節することによって、第二共振部は第二動作周波数の信号を送受信する。【選択図】図１
2014192902.tif 000002
【特許請求の範囲】
【請求項１】
回路基板と、前記回路基板に形成され、且つそれぞれ接地及び信号をフィードインするための接地部及びフィードイン部を含むアンテナと、を備えるアンテナモジュールであって、
前記アンテナモジュールは、連接部、第一共振部及び第二共振部をさらに備え、前記フィードイン部は、前記接地部の一方の側辺から延伸してなり、且つ前記接地部と共同で１つの切欠きを形成し、
前記第一共振部及び前記第二共振部は、同一直線上に位置し、且つ前記連接部を介して前記接地部及び前記フィードイン部にそれぞれ連接され、前記第一共振部、前記連接部、前記フィードイン部は共に、第一間隙を形成し、前記第二共振部、前記連接部、前記接地部は共に、第二間隙を形成し、
前記切欠き及び前記第一間隙のサイズを調節することによって、前記第一共振部は第一動作周波数の信号を送受信し、前記第二間隙のサイズを調節することによって、前記第二共振部は第二動作周波数の信号を送受信することを特徴とするアンテナモジュール。
【請求項２】
前記接地部は、対向する２つの長辺及び対向する２つの短辺を備え、前記フィードイン部は、前記接地部の１つの短辺から所定距離延在してなることを特徴とする請求項１に記載のアンテナモジュール。
【請求項３】
前記フィードイン部は、延伸部及びフィードイン端子を備え、前記延伸部は、前記１つの短辺から所定距離延在し、前記フィードイン端子は、前記延伸部の末端から前記延伸部に対して垂直に延伸し、且つ前記１つの短辺に対して平行であり、前記フィードイン端子と前記接地部の一方の側辺との間には、前記切欠きが形成されていることを特徴とする請求項２に記載のアンテナモジュール。
【請求項４】
前記連接部は、前記第二共振部から前記接地部の１つの長辺まで垂直に延伸し、前記第一共振部及び前記第二共振部は、前記連接部の一端からそれぞれ反対方向に所定の長さ延在し、前記第一共振部の長さは、前記第二共振部より長いことを特徴とする請求項３に記載のアンテナモジュール。
【発明の詳細な説明】
【技術分野】
【０００１】
本発明は、アンテナモジュールに関し、特にブルートゥース（登録商標）及びＷｉ−Ｆｉ（登録商標）機能をサポートすることができる双極アンテナに関するものである。
【背景技術】
【０００２】
現在、携帯電話機及びタブレットパソコン等の無線通信装置の機能は、益々多様化しており、ブルートゥース機能及びＷｉ−Ｆｉ機能は、無線通信装置の基本的な機能となっている。故に、これに対応して、無線通信装置に対して、ブルートゥース及びＷｉ−Ｆｉをサポートすることができるアンテナモジュールを設置しなければならない。
【０００３】
従来のアンテナモジュールは、一般的に回路基板及びアンテナを備え、アンテナは、接地及び信号をフィードインするための接地端子及びフィードイン端子を備える。近年、無線通信装置の小型軽量化及び薄型化によって、アンテナモジュールの上記の機能を確保しつつ、アンテナモジュールの回路基板、アンテナのサイズ及び体積を小さくし、また、無線通信装置の製造コストを下げるために、アンテナモジュールの製造工程を容易にすることが、現在の技術者の課題となっている。
【発明の概要】
【発明が解決しようとする課題】
【０００４】
そこで、本発明は上記の問題点を考慮した上で、容易に製造でき、且つ体積が小さいアンテナモジュールを提供することを目的とする。
【課題を解決するための手段】
【０００５】
上記の課題を解決するために、本発明に係るアンテナモジュールは、回路基板と、前記回路基板に形成され、且つそれぞれ接地及び信号をフィードインするための接地部及びフィードイン部を含むアンテナと、を備える。前記アンテナモジュールは、連接部、第一共振部及び第二共振部をさらに備え、前記フィードイン部は、前記接地部の一方の側辺から延伸してなり、且つ前記接地部と共同で１つの切欠きを形成し、前記第一共振部及び前記第二共振部は、同一直線上に位置し、且つ前記連接部を介して前記接地部及び前記フィードイン部にそれぞれ連接され、前記第一共振部、前記連接部、前記フィードイン部は共に、第一間隙を形成し、前記第二共振部、前記連接部、前記接地部は共に、第二間隙を形成し、前記切欠き及び前記第一間隙のサイズを調節することによって、前記第一共振部は第一動作周波数の信号を送受信し、前記第二間隙のサイズを調節することによって、前記第二共振部は第二動作周波数の信号を送受信する。
【発明の効果】
【０００６】
本発明は、アンテナを回路基板に直接印刷して形成するので、アンテナモジュール全体が占有する空間は小さく、コストも低い。また、本発明のアンテナモジュールは、第一共振部、切欠き及び第一間隙の共振を介して、ブルートゥース機能及び２．４ＧＨｚのＷｉ−Ｆｉ動作周波数帯域を実現すると共に、第二共振部と第二間隙との共振を介して、５ＧＨｚのＷｉ−Ｆｉ動作周波数帯域を実現することができる。
【図面の簡単な説明】
【０００７】
【図１】本発明の実施形態に係るアンテナモジュールの平面図である。
【図２】図１に示したアンテナモジュールのリターンロスを示す図である。
【図３】図１に示したアンテナモジュールの電圧定在波比を示す図である。
【発明を実施するための形態】
【０００８】
図１に示すように、本発明の実施形態に係るアンテナモジュール１００は、携帯電話機、タブレットパソコン等の無線通信装置に装着されて、無線通信信号を送受信する役割を果たす。
【０００９】
アンテナモジュール１００は、回路基板１０及びアンテナ２０を備える。回路基板１０は、前記無線通信装置のマザーボードとして機能する。アンテナ２０は、印刷によって回路基板１０に形成される。
【００１０】
アンテナ２０は、接地部２１、フィードイン部２２、連接部２３、第一共振部２４及び第二共振部２５を備える。フィードイン部２２は、接地部２１の一方の側辺から延伸してなり、延伸部２２１及びフィードイン端子２２２を備える。フィードイン端子２２２と接地部２１の一方の側辺との間には、切欠き２６が形成されている。第一共振部２４及び第二共振部２５は、同一直線上に位置し、且つ連接部２３を介して接地部２１及びフィードイン部２２に連接される。第一共振部２４、連接部２３、フィードイン部２２は共に、第一間隙２７を形成し、第二共振部２５、連接部２３、接地部２１は、第二間隙２８を形成する。第一共振部２４は、切欠き２６及び第一間隙２７と共振して、第一動作周波数帯域を形成する。第二共振部２５は、第二間隙２８と共振して第二動作周波数帯域を形成する。
【００１１】
接地部２１は、ほぼ矩形を呈し、対向する２つの長辺２１１及び対向する２つの短辺２１２を備える。フィードイン部２２は、ほぼ「Ｌ」字状を呈する。延伸部２２１は、接地部２１の短辺から所定距離延在し、フィードイン端子２２２は、延伸部２２１の末端から延伸部２２１に対して垂直に延伸し、且つ前記短辺に対して平行に設置されている。フィードイン端子２２２は、無線通信装置の回路基板（図示せず）に設けられた信号フィードイン点に電気的に接続されて、第一共振部２４及び第二共振部２５に信号を供給する。
【００１２】
連接部２３は、第二共振部２５から接地部２１の１つの長辺２１１まで垂直に延伸する。第一共振部２４及び第二共振部２５は、連接部２３の一端からそれぞれ反対方向に所定の長さ延在する。また、第一共振部２４の長さは、第二共振部２５の長さより長い。第一共振部２４は、延伸部２２１に対して平行であり、且つ延伸部２２１及び連接部２３と共同で、第一間隙２７を形成する。切欠き２６及び第一間隙２７の幅或いは面積を調節することで、第一共振部２４の電気長を変更することができ、さらに、第一動作周波数帯域の中心周波数を変更できる。
【００１３】
第二共振部２５は、接地部２１の１つの長辺２１１に対して平行であり、且つ長辺２１１及び連接部２３と共同で第二間隙２８を形成する。第二間隙２８の幅を調節することで、第二共振部２５の電気長を変更することができ、さらに、第二動作周波数帯域の中心周波数も変更できる。
【００１４】
図２及び図３を併せて参照すると、アンテナモジュール１００は、２．４ＧＨｚの第一動作周波数帯域及び５ＧＨｚの第二動作周波数帯域を取得できる。これにより、ブルートゥース（登録商標）機能及びＷｉ−Ｆｉ（登録商標）機能をサポートすることができる。
【００１５】
以下の表１は、本発明のアンテナモジュール１００が異なる周波数における利得（ｇａｉｎ）効率のパーセンテージを示している。表１から分かるように、本発明のアンテナモジュール１００は、２．４ＧＨｚの周波数及び５ＧＨｚの周波数において、好ましい利得効率を取得することができ、アンテナの設計要求を満たしている。
【００１６】
【表１】
2014192902.tif 000003
【００１７】
本発明は、アンテナ２０を回路基板１０に直接印刷して形成するので、アンテナモジュール１００全体が占有する空間は小さく、コストも低い。また、本発明のアンテナモジュール１００は、第一共振部２４、切欠き２６及び第一間隙２７の共振を介して、ブルートゥース機能及び２．４ＧＨｚのＷｉ−Ｆｉ動作周波数帯域を実現すると共に、第二共振部２５と第二間隙２８との共振を介して、５ＧＨｚのＷｉ−Ｆｉ動作周波数帯域を実現することができる。
【符号の説明】
【００１８】
１０  回路基板
１００  アンテナモジュール
２０  アンテナ
２１  接地部
２１１  長辺
２１２  短辺
２２  フィードイン部
２２１  延伸部
２２２  フィードイン端子
２３  連接部
２４  第一共振部
２５  第二共振部
２６  切欠き
２７  第一間隙
２８  第二間隙
【図１】
2014192902.tif 000004
【図２】
2014192902.tif 000005
【図３】
2014192902.tif 000006